(57)【要約】【課題】  コネクタの接続不良を防ぐ。【解決手段】  フィルム状の配線板と、コネクタが設けられたプリント配線板を備える電子装置で、前記フィルム状の配線板は、前記コネクタに挿入した状態で前記コネクタより露出した位置に該プリント配線板と反対側への突出部を有する。【選択図】        図２
2007012337.tif 000002
【特許請求の範囲】
【請求項１】
フィルム状の配線板と、コネクタが設けられたプリント配線板を備える電子装置であって、
前記フィルム状の配線板は、前記コネクタに挿入した状態で前記コネクタより露出した位置に該プリント配線板と反対側への突出部を有することを特徴とする電子装置。
【請求項２】
前記コネクタはロック部材を有し、前記突出部は該ロック部材に対し前記コネクタより遠い側に位置することを特徴とする請求項１に記載の電子装置。
【請求項３】
前記突出部が保護部材として働くことを特徴とする請求項１または請求項２に記載の電子装置。
【請求項４】
前記突出部が前記ロック部材のロック時の位置より突出することを特徴とする請求項１乃至請求項３のいずれか１項に記載の電子装置。
【請求項５】
フィルム状の絶縁基板の表面に配線（以下、第１の配線という）が設けられたフィルム状配線板と、前記第１の配線と電気的に接続される配線（以下、第２の配線という）が設けられたプリント配線板と、前記プリント配線板上に設けられ、かつ、前記フィルム状配線板が挿入されたコネクタとを備え、
前記コネクタは、前記第２の配線と電気的に接続されたリードと、前記リードおよび前記フィルム状配線板を支持する支持部材と、前記フィルム状配線板の、前記第１の配線と前記リードの接触面の裏面側に設けられ、かつ、あらかじめ定められた軸まわりで回転させることにより前記第１の配線と前記リードの接触固定および解放を行うロック部材とを備える電子装置であって、
前記フィルム状配線板は、前記フィルム状の絶縁基板の、前記ロック部材と接触する面側に、前記ロック部材が前記第１の配線と前記リードを接触固定させた状態から開放状態になるのを防ぐ保護部材が設けられていることを特徴とする電子装置。
【請求項６】
前記フィルム状配線板は、前記フィルム状の絶縁基板の、前記ロック部材と接触する面側であり、かつ、前記コネクタに挿入された領域およびその外側に補強部材が設けられており、
前記保護部材は、前記補強部材上に設けられていることを特徴とする請求項５に記載の電子装置。
【請求項７】
前記保護部材は、前記フィルム状の絶縁基板との界面側に、前記コネクタに挿入された領域の方向に延在する補強部を有することを特徴とする請求項５に記載の電子装置。
【請求項８】
前記フィルム状の絶縁基板の表面と、前記保護部材の、前記絶縁基板の表面から最も離れた点との距離は、前記絶縁基板の表面と、前記ロック部材の、前記第１の配線と前記リードを接触固定させた状態での前記絶縁基板の表面から最も離れた点との距離以上であることを特徴とする請求項５乃至請求項７のいずれか１項に記載の電子装置。
【請求項９】
表示パネルと、フィルム状の絶縁基板の表面に配線（以下、第１の配線という）が設けられたフィルム状配線板と、前記第１の配線と電気的に接続される配線（以下、第２の配線という）が設けられたプリント配線板と、前記プリント配線板上に設けられ、かつ、前記フィルム状配線板が挿入されたコネクタとを備え、
前記コネクタは、前記第２の配線と電気的に接続されたリードと、前記リードおよび前記フィルム状配線板を支持する支持部材と、前記フィルム状配線板の、前記第１の配線と前記リードの接触面の裏面側に設けられ、かつ、あらかじめ定められた軸まわりで回転させることにより前記第１の配線と前記リードの接触固定および解放を行うロック部材とを備える表示装置であって、
前記フィルム状配線板は、前記フィルム状の絶縁基板の、前記ロック部材と接触する面側に、前記ロック部材が前記第１の配線と前記リードを接触固定させた状態から開放状態になるのを防ぐ保護部材が設けられていることを特徴とする表示装置。
【請求項１０】
前記フィルム状配線板は、前記フィルム状の絶縁基板の、前記ロック部材と接触する面側であり、かつ、前記コネクタに挿入された領域およびその外側に補強部材が設けられており、
前記保護部材は、前記補強部材上に設けられていることを特徴とする請求項９に記載の表示装置。
【請求項１１】
前記保護部材は、前記フィルム状の絶縁基板との界面側に、前記コネクタに挿入された領域の方向に延在する補強部を有することを特徴とする請求項９に記載の表示装置。
【請求項１２】
前記フィルム状の絶縁基板の表面と、前記保護部材の、前記絶縁基板の表面から最も離れた点との距離は、前記絶縁基板の表面と、前記ロック部材の、前記第１の配線と前記リードを接触固定させた状態での前記絶縁基板の表面から最も離れた点との距離以上であることを特徴とする請求項９乃至請求項１１のいずれか１項に記載の表示装置。
【発明の詳細な説明】
【技術分野】
【０００１】
本発明は、電子装置および表示装置に関し、特に、フィルム状配線板の配線とプリント配線板の配線を開閉式のコネクタで電気的に接続している装置に適用して有効な技術に関するものである。
【背景技術】
【０００２】
従来、ノートブック型のPC（Personal Computer）やPDA（Personal Digital Assistant）、ディジタル・スチル・カメラ、携帯電話端末などの電子装置では、本体の小型化にともない、複数個の電子部品やプリント配線板を小さな筐体内に収容しなければならなくなってきている。
【０００３】
前記複数個の電子部品やプリント配線板を小さな筐体内に収容する方法としては、たとえば、前記各電子部品やプリント配線板を小型化する方法があるが、たとえば、前記電子装置の高機能化や、前記各電子部品やプリント配線板の動作信頼性の面から、近年、さらなる小型化が難しくなってきている。
【０００４】
そこで、近年では、たとえば、前記プリント配線板を複数枚に分割し、各プリント配線板を、フレキシブル基板と呼ばれるフィルム状配線板で接続する方法がとられるようになってきている。前記フィルム状配線板は、フィルム状の絶縁基板の表面に配線を設けた基板であり、曲げることが可能な基板である。そのため、複数枚のプリント配線板の配線を前記フィルム状配線板で接続し、前記フレキシブル基板を曲げて前記各プリント配線板を重ねるように配置することで、前記各電子部品やプリント配線板を小さな筐体内に効率よく収容することができる。
【０００５】
また、前記電子装置には、たとえば、液晶テレビやPC用の液晶ディスプレイなどの液晶表示装置も含まれる。前記液晶表示装置では、たとえば、液晶表示パネルの外周部に配置されたプリント配線板またはプリント回路板の配線と、前記液晶表示パネルの裏面側に設けられたバックライトユニットの背面に取り付けられたタイミングコントローラなどの回路を有するプリント回路板の配線を電気的に接続する際に、前記フィルム状配線板が用いられる。
【０００６】
前記フィルム状配線板の配線と前記プリント配線板の配線を電気的に接続するときには、たとえば、接合材などを用いて接続する場合もあるが、その場合、たとえば、光学的な位置合わせや接合のための加熱、加圧などが必要となる。また、接続時に位置ずれなどの不良が生じた場合は、一度はがして再び接続作業を行わなければならない。特に、前記フィルム状配線板が、単に、前記複数枚のプリント配線板の配線を電気的に接続するためのケーブルである場合、その接続作業は、前記電子装置の組み立て工程で行われるので、前記接合材などを用いて接続していると、作業効率が悪くなる。そこで、前記複数枚のプリント配線板の配線をフィルム状配線板（ケーブル）で接続するときには、容易に着脱が可能なコネクタを用いるのが一般的である。
【０００７】
前記コネクタは、たとえば、前記プリント配線板上に固定されており、前記フィルム状配線板の挿入部には、前記プリント配線板の配線と電気的に接続されたリードが設けられている。そして、前記コネクタに前記フィルム状配線板を挿入し、前記フィルム状配線板の配線と前記コネクタのリードを接触固定させることで、前記フィルム状配線板の配線と前記プリント配線板の配線を電気的に接続する。
【０００８】
しかしながら、前記フィルム状配線板は、前述のように、容易に曲げられる配線板である。そのため、前記フィルム状配線板を前記コネクタに挿入する際に曲がったりして作業性が悪い。そこで、前記フィルム状配線板を前記コネクタに挿入する際の作業性をよくする方法として、挿入治具を用いる方法などが提案されている（たとえば、特許文献１を参照。）。
【特許文献１】特開平７−２９６９４１号公報
【発明の開示】
【発明が解決しようとする課題】
【０００９】
前記コネクタには、通常、挿入した前記フィルム状配線板が抜けるのを防ぐための手段が設けられている。前記フィルム状配線板の抜けを防ぐ手段としては、たとえば、開閉式のロック部材が挙げられる。
【００１０】
前記開閉式のロック部材を備えるコネクタは、たとえば、図９に示すように、前記プリント配線板２の配線２０２と電気的に接続されたリード３０１および前記フィルム状配線板１を支持する支持部材３０２に、あらかじめ定められた軸まわりで回転させることができる状態で前記ロック部材３０３を取り付けている。このとき、前記ロック部材３０３は、前記フィルム状配線板１の配線１０２と前記リード３０１の接触面の裏面側に設けておく。そして、前記ロック部材３０３を、たとえば、図９に点線で示した向きにした状態（オープン状態）で前記フィルム状配線板１を挿入した後、図９に実線で示した向きした状態（ロック状態）に回転させると、前記ロック部材３０３の固定部３０３ａが前記フィルム状配線板１と接触し、前記フィルム状配線板の配線１０２と前記リード３０１が接触固定される。
【００１１】
また、前記フィルム状配線板１を取り外すときには、前記ロック部材３０３を、前記ロック状態から前記オープン状態にすれば、前記ロック部材の固定部３０３ａが前記フィルム状配線板１から離れ、容易に取り外すことができる。
【００１２】
しかしながら、前記開閉式のロック部材を備えるコネクタの場合、前記ロック部材で前記フィルム状配線板の配線と前記リードを接触固定させた後、他の電子部品やプリント配線板、あるいは組み立て作業を行う人の指先が前記ロック部材に触れるなどの、意図しない要因により、前記ロック部材が前記ロック状態から前記オープン状態になってしまうことがある。前記ロック部材がオープン状態になってしまうと、前記フィルム状配線板の配線と前記リードの接触が不完全になり、動作不良の原因となる。このとき、組み立て作業の途中で前記ロック部材がオープン状態になっていることに気がつけば、その場で前記ロック部材をロック状態にすることで、前記動作不良を防げる。しかしながら、前記ロック部材がオープン状態になっていることに気がつかずに組み立て作業を進め、たとえば、前記プリント回路板の周囲をカバー部材などで覆ってしまうと、組み上がった電子装置の動作検査をするときに、接触不良による動作不良が起こる。この場合、前記組み上がった電子装置を分解して、前記オープン状態になっているロック部材をロック状態にしなければならない。そのため、前記電子装置の組み立て作業の効率が悪くなると言う問題があった。
【００１３】
また、ロックが中途半端の状態では、検査段階では電気的な接続が正常でも、顧客に輸送する際の振動や衝撃によりロックが外れ、顧客が使用する際には不良となることがあるという問題があった。
【００１４】
本発明の目的は、前記開閉式のロック部材を備えるコネクタによって前記フィルム状配線板の配線板と前記プリント配線板の配線を電気的に接続させた電子装置において、一度ロック状態にした前記ロック部材がオープン状態になってしまい、前記フィルム状配線板の配線と前記コネクタのリードとの接続不良が生じることを防ぐことが可能な技術を提供することにある。
【００１５】
本発明の他の目的は、前記電子装置を組み立てる際に、意図しない要因により、前記ロック部材が前記ロック状態から前記オープン状態になってしまうことを防ぐことが可能な技術を提供することにある。
【００１６】
本発明の他の目的は、前記電子装置の中でも、特に、液晶表示パネルなどの表示パネルを備える表示装置において、意図しない要因により、前記ロック部材が前記ロック状態から前記オープン状態になってしまうことを防ぐことが可能な技術を提供することにある。
【００１７】
本発明の前記ならびにその他の目的と新規な特徴は、本明細書の記述および添付図面によって明らかになるであろう。
【課題を解決するための手段】
【００１８】
本発明の電子装置および表示装置の具体的な構成例を説明すれば、以下の通りである。
【００１９】
（１）フィルム状の配線板と、コネクタが設けられたプリント配線板を備える電子装置であって、前記フィルム状の配線板は、前記コネクタに挿入した状態で前記コネクタより露出した位置に該プリント配線板と反対側への突出部を有する電子装置である。
【００２０】
（２）前記手段（１）において、前記コネクタはロック部材を有し、前記突出部は該ロック部材に対し前記コネクタより遠い側に位置する電子装置である。
【００２１】
（３）前記手段（１）または（２）において、前記突出部が保護部材として働く電子装置である。
【００２２】
（４）前記手段（１）から（３）のいずれかにおいて、前記突出部が前記ロック部材のロック時の位置より突出する電子装置である。
【００２３】
（５）フィルム状の絶縁基板の表面に第１の配線が設けられたフィルム状配線板と、前記第１の配線と電気的に接続される第２の配線が設けられたプリント配線板と、前記プリント配線板上に設けられ、かつ、前記フィルム状配線板が挿入されたコネクタとを備え、前記コネクタは、前記第２の配線と電気的に接続されたリードと、前記リードおよび前記フィルム状配線板を支持する支持部材と、前記フィルム状配線板の、前記第１の配線と前記リードの接触面の裏面側に設けられ、かつ、あらかじめ定められた軸まわりで回転させることにより前記第１の配線と前記リードの接触固定および解放を行うロック部材とを備える電子装置であって、前記フィルム状配線板は、前記フィルム状の絶縁基板の、前記ロック部材と接触する面側に、前記ロック部材が前記第１の配線と前記リードを接触固定させた状態から開放状態になるのを防ぐ保護部材が設けられている電子装置である。
【００２４】
（６）前記手段（５）において、前記フィルム状配線板は、前記フィルム状の絶縁基板の、前記ロック部材と接触する面側であり、かつ、前記コネクタに挿入された領域およびその外側に補強部材が設けられており、前記保護部材は、前記補強部材上に設けられている電子装置である。
【００２５】
（７）前記手段（５）において、前記保護部材は、前記フィルム状の絶縁基板との界面側に、前記コネクタに挿入された領域の方向に延在する補強部を有する電子装置である。
【００２６】
（８）前記手段（５）から手段（７）のいずれかにおいて、前記フィルム状の絶縁基板の表面と、前記保護部材の、前記絶縁基板の表面から最も離れた点との距離は、前記絶縁基板の表面と、前記ロック部材の、前記第１の配線と前記リードを接触固定させた状態での前記絶縁基板の表面から最も離れた点との距離以上である電子装置である。
【００２７】
（９）表示パネルと、フィルム状の絶縁基板の表面に第１の配線が設けられたフィルム状配線板と、前記第１の配線と電気的に接続される第２の配線が設けられたプリント配線板と、前記プリント配線板上に設けられ、かつ、前記フィルム状配線板が挿入されたコネクタとを備え、前記コネクタは、前記第２の配線と電気的に接続されたリードと、前記リードおよび前記フィルム状配線板を支持する支持部材と、前記フィルム状配線板の、前記第１の配線と前記リードの接触面の裏面側に設けられ、かつ、あらかじめ定められた軸まわりで回転させることにより前記第１の配線と前記リードの接触固定および解放を行うロック部材とを備える表示装置であって、前記フィルム状配線板は、前記フィルム状の絶縁基板の、前記ロック部材と接触する面側に、前記ロック部材が前記第１の配線と前記リードを接触固定させた状態から開放状態になるのを防ぐ保護部材が設けられている表示装置である。
【００２８】
（１０）前記手段（９）において、前記フィルム状配線板は、前記フィルム状の絶縁基板の、前記ロック部材と接触する面側であり、かつ、前記コネクタに挿入された領域およびその外側に補強部材が設けられており、前記保護部材は、前記補強部材上に設けられている表示装置である。
【００２９】
（１１）前記手段（９）において、前記保護部材は、前記フィルム状の絶縁基板との界面側に、前記コネクタに挿入された領域の方向に延在する補強部を有する表示装置である。
【００３０】
（１２）前記手段（９）から（１１）のいずれかにおいて、前記フィルム状の絶縁基板の表面と、前記保護部材の、前記絶縁基板の表面から最も離れた点との距離は、前記絶縁基板の表面と、前記ロック部材の、前記第１の配線と前記リードを接触固定させた状態での前記絶縁基板の表面から最も離れた点との距離以上である表示装置である。
【発明の効果】
【００３１】
本発明の電子装置は、前記手段（１）のように、前記フィルム状の配線板が前記突出部を有する。このとき、前記突出部は、前記手段（２）のように、前記コネクタのロック部材に対し前記コネクタより遠い側に位置する。またこのとき、前記突出部は、前記手段（３）のように、たとえば、前記コネクタのロック部材を保護する保護部材として働く。そのため、前記突出部は、前記手段（４）のように、前記ロック部材のロック時の位置より突出することが好ましい。
【００３２】
また、前記手段（１）から手段（４）のような特徴をもつ電子装置の具体的な構成例は、たとえば、前記手段（５）のようになる。前記手段（５）のように、前記フィルム状配線板の配線と前記プリント配線板の配線を接触固定された状態（ロック状態）にした前記ロック部材を保護する保護部材を設けることで、たとえば、前記他の電子部品やプリント配線板、あるいは組み立て作業を行う人の指先などが前記ロック部材に触れてロック状態から解放された状態（オープン状態）になることを防げる。そのため、前記意図しない要因により前記ロック部材がロック状態からオープン状態になるのを防げる。その結果、組み上がった電子装置の動作検査をする際に、前記ロック部材がオープン状態になっていることにより生じる動作不良を低減でき、前記電子装置の組み立て作業の効率をよくすることができる。
【００３３】
また、前記フィルム状配線板に前記保護部材を設けた場合、前記保護部材を見ながら前記フィルム状配線板を前記コネクタに挿入することができる。そのため、前記保護部材と前記コネクタの位置関係から、たとえば、前記フィルム状配線板の挿入量や、前記フィルム状配線板が斜めに挿入されていないかなどの確認ができ、作業性が向上する。
【００３４】
また、前記フィルム状配線板は、前記コネクタへの挿入部分およびその近傍に、挿入時の曲がりを防ぐための補強部材が設けられているのが一般的である。その場合、前記保護部材は、前記手段（６）のように、前記補強部材上に設ける。このとき、前記保護部材は、たとえば、前記補強部材と同じ材料で形成してもよいし、異なる材料で形成してもよい。
【００３５】
また、前記手段（６）のように、前記補強部材上に前記保護部材を設ける場合、前記保護部材と前記補強部材の接着強度によっては、前記他の電子部品やプリント配線板、あるいは組み立て作業を行う人の指先などが前記保護部材に接触したときに、前記保護部材が剥がれてしまうことがある。そのため、たとえば、前記手段（７）のように、前記保護部材の、前記フィルム状の絶縁基板との界面付近に前記補強部を設けることが好ましい。前記手段（７）は、前記手段（６）の保護部材と補強部材を一体物として設けているため、前記保護部材が剥がれるような問題は生じない。
【００３６】
また、前記保護部材は、前記ロック状態のロック部材が、前記意図しない要因によりオープン状態になることを防ぐ部材であるため、前記保護部材の高さは、前記手段（８）のように、ロック状態のロック部材の高さよりも高くなるようにすることが好ましい。
【００３７】
また、前記手段（５）から手段（８）は、たとえば、ノートブック型のPCやPDA、ディジタル・スチル・カメラ、携帯電話端末など、前記開閉式のコネクタによって前記フィルム状配線板の配線と前記プリント配線板の配線を電気的に接続している電子装置であれば、どのような電子装置でも適用可能であるが、特に、前記手段（９）から手段（１２）のような表示パネルを備える表示装置に適用することが好ましい。
【００３８】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００３９】
前記プリント配線板上に設けられた開閉式のロック部材を備えるコネクタに挿入する前記フィルム状配線板に、ロック状態にした前記ロック部材を保護する保護部材を設け、前記他の電子部品やプリント配線板、あるいは組み立て作業を行う人の指先が前記ロック状態のロック部材に触れてオープン状態になるのを防ぐ。
【００４０】
図１乃至図４は、本発明の電子装置の概要を説明するための模式図であり、図１は電子装置のフィルム状配線板とプリント配線板の接続部の概略構成を示す平面図、図２は図１のＡ−Ａ’線断面図、図３はフィルム状配線板の取り付け方法を説明する断面図、図４は他の効果の一例を説明する平面図である。
図１乃至図４において、１はフィルム状配線板、１０１はフィルム状の絶縁基板、１０２は配線（第１の配線）、１０３は配線保護膜、１０４は補強部材、１０５は保護部材、２はプリント配線板、２０１は絶縁基板、２０２は配線（第２の配線）、３はコネクタ、３０１はリード、３０２は支持部材、３０３はロック部材、３０３ａは固定部である。
【００４１】
本発明の電子装置は、たとえば、図１および図２に示すように、フィルム状の絶縁基板の表面１０１に第１の配線１０２が設けられたフィルム状配線板１と、絶縁基板２０１の表面に前記第１の配線１０１と電気的に接続される第２の配線２０２が設けられたプリント配線板２と、前記プリント配線板２上に設けられ、かつ、前記フィルム状配線板１が挿入されたコネクタ３とを備える電子装置である。
【００４２】
また、前記フィルム状配線板１は、たとえば、図２に示すように、前記コネクタ３に挿入された部分とその外側に、前記フィルム状配線板１の反りや曲がりを防ぐための補強部材１０４が設けられている。また、前記補強部材１０４の、前記コネクタ３に挿入された領域の外側の領域上には、保護部材１０５が設けられている。また、前記フィルム状配線板１は、たとえば、フレキシブル基板と呼ばれる容易に曲げられる配線板であるとする。
【００４３】
また、前記プリント配線板は、たとえば、前記電子装置の動作を制御する制御回路等の配線が設けられた配線板である。またこのとき、前記プリント配線板は、たとえば、前記絶縁基板の内部に、１層以上の内部配線層が設けられていてもよい。
【００４４】
また、前記コネクタ３は、前記第２の配線２０２と電気的に接続されたリード３０１と、前記リード３０１および前記フィルム状配線板１を支持する支持部材３０２と、前記フィルム状配線板１の、前記第１の配線１０２と前記リード３０１の接触面の裏面側に設けられ、かつ、あらかじめ定められた回転軸まわりで回転させることにより前記第１の配線１０２と前記リード３０１の接触固定および解放を行うロック部材３０３とを備える。このとき、前記ロック部材３は、図２に示した状態が、前記第１の配線１０２と前記リード３０１を接触固定させている状態（ロック状態）であり、前記ロック部材３０３の固定部３０３ａとリード３０１で前記フィルム状配線板１を挟むことで、前記第１の配線１０２と前記リード３０１の接触を確保するとともに、前記フィルム状配線板１が抜けないように固定している。また、前記ロック部材３０３は、たとえば、図３に示すように、回転軸周りに回転させると、前記固定部３０３ａが前記フィルム状配線板１（補強部材１０４）から離れる。つまり、前記フィルム状配線板１を前記コネクタ３に挿入して固定するときには、前記ロック部材３０３を、図３に実線で示したような状態（オープン状態）にして前記フィルム状配線板１を挿入した後、前記ロック部材３０３を、図２に示したようなロック状態にして固定する。
【００４５】
また、前記フィルム状配線板１に設けられた前記保護部材１０５は、前記ロック部材３がロック状態からオープン状態、すなわち図２に示したような前記第１の配線１０２と前記リード３０１を接触固定させた状態から図３に実線で示したような状態になるのを防ぐ部材である。このとき、前記保護部材１０５は、たとえば、図２に示したように、前記フィルム状配線板１の絶縁基板１０１の表面からの高さ、言い換えると最も遠い点までの距離Ｈが、前記絶縁基板１０１の表面から前記ロック状態のロック部材３０３の高さと等しくなるように設けるのが好ましい。このようにすれば、たとえば、他の電子部品やプリント配線板、あるいは組み立て作業を行う人の指先が前記ロック状態のロック部材３０３に触れてオープン状態になるのを防げる。
【００４６】
なお、前記保護部材１０５は、たとえば、他の電子部品やプリント配線板、あるいは組み立て作業を行う人の指先が前記ロック状態のロック部材３０３に触れてオープン状態になるのを防げればよいので、前記保護部材１０５の、前記フィルム状配線板１の絶縁基板１０１の表面からの高さＨは、前記絶縁基板１０１の表面から前記ロック状態のロック部材３の高さとほぼ等しいか、あるいは前記絶縁基板１０１の表面から前記ロック状態のロック部材３の高さより高ければよい。
【００４７】
また、本発明の電子装置では、前記フィルム状配線板１を前記コネクタ３に挿入するときに、たとえば、図４に示すように、前記フィルム状配線板１の絶縁基板１０１上に、挿入方向と垂直な方向の端面１０５ａを有する前記保護部材１０５が見える。そのため、前記フィルム状配線板１を前記コネクタ３に挿入するときに、たとえば、図４に示すように、前記ロック部材３０３の固定部３０３ａと前記保護部材１０５の端面１０５ａの間隔から、前記フィルム状配線板１の挿入量や、斜めに挿入されていないかどうかを確認することができる。そのため、正しく挿入された状態で前記ロック部材３０３をオープン状態からロック状態にでき、挿入不良による前記フィルム状配線板１の配線１０２と前記リード３０１の接続不良を低減できるとともに、作業性が向上する。
【００４８】
また、本発明の電子装置は、図１乃至図３に示したような構成の前記フィルム状配線板１、前記プリント配線板２、および前記コネクタ３を備えていれば、他の構成はどのような構成であってもよく、たとえば、ノートブック型のPCや、ディジタル・スチル・カメラ、携帯電話端末、液晶表示装置などの種々の電子装置に適用できる。
【００４９】
以上説明したように、本発明の電子装置では、前記フィルム状配線板１に前記保護部材１０５を設けることにより、たとえば、他の電子部品やプリント配線板、あるいは組み立て作業を行う人の指先が前記ロック状態のロック部材３０３に触れてオープン状態になるのを防げる。そのため、たとえば、組み立ての途中で前記ロック部材３０３がオープン状態になっていることに気付かないで電子装置を組み上げたときに、前記ロック部材３０３がオープン状態になっていることによる前記フィルム状配線板１の配線１０２と前記コネクタ３のリード３０１の接続不良を防ぐことができる。その結果、前記組み上げた電子装置の動作検査を行うときに、前記ロック部材３０３がオープン状態になっていることによる動作不良を防ぐことができる。
【００５０】
また、前記保護部材１０５を設けることにより、意図しない要因により前記ロック部材３０３がオープン状態になることを防げるので、前記ロック部材３０３がオープン状態であることに起因する不良を低減できるので、前記ロック部材３０３をオープン状態からロック状態に修正する作業が低減する。そのため、前記電子装置の組み立て作業の作業性が向上する。
【００５１】
また、前記フィルム状配線板１に前記保護部材１０５を設けることにより、前記フィルム状配線板１を前記コネクタ３に挿入するときに、前記保護部材１０５とその周囲の位置関係を見ることで、前記フィルム状配線板１が正しく挿入されているか確認できる。そのため、前記フィルム状配線板１の挿入不良による前記フィルム状配線板１の配線１０２と前記リード３０１の接続不良を低減できるとともに、作業性が向上する。
【００５２】
また、前記電子装置の組み立て工程で、前記他の電子部品などが前記ロック部材３０３に接触した場合、たとえば、図３に示したような完全なオープン状態ではなく、ロックが不完全（中途半端）な状態になることもある。このようなロックが中途半端の状態では、検査段階では電気的な接続が正常でも、顧客に輸送する際の振動や衝撃によりロックが外れ、顧客が使用する際には不良となる可能性がある。そこで、本発明のように前記フィルム状配線板１に前記保護部材１０５を設けておけば、前記ロックが中途半端な状態になることも防げる。
【００５３】
図５は、本発明の電子装置の変形例を説明するための模式断面図である。なお、図５は、図２と同じ断面、すなわち図１のＡ−Ａ’線断面図であるとする。
【００５４】
本発明の電子装置のように、前記フィルム状配線板１に前記保護部材１０５を設ける場合、たとえば、図２に示したように、あらかじめ設けられる前記補強部材１０４上に前記保護部材１０５を設ける方法が考えられる。しかしながら、前記補強部材１０４上に前記保護部材１０５を設ける場合、たとえば、他の電子部品やプリント配線板、あるいは組み立て作業を行う人の指先が前記保護部材１０５に触れたときに、前記保護部材１０５が剥がれてしまう可能性がある。そこで、前記保護部材１０５を設けるときには、前記補強部材１０４と一体になっていることが好ましい。
【００５５】
前記保護部材１０５を、前記補強部材１０４と一体にして設けるときには、たとえば、図５に示すように、前記フィルム状配線板１に前記補強部材１０４を設けずに、前記絶縁基板１０１上に直接、前記保護部材１０５を設ける。またこのとき、前記保護部材１０５の前記絶縁基板１０１との界面には、図５に示すように、前記コネクタ３に挿入された領域に延在する補強部１０５ｂを設ける。なお、図５に示した例では、前記保護部材１０５に、前記補強部材１０４に相当する補強部１０５ｂを設けているが、逆に、前記補強部材１０４に、前記保護部材１０５に相当する保護部を設けてもよい。
【実施例】
【００５６】
図６乃至図８は、本発明による一実施例の液晶表示装置の概略構成を示す模式図であり、図６は液晶表示装置の構成例を示す分解斜視図、図７は本発明の適用例を説明する平面図、図８は本発明の適用例を説明する側面図である。
図６乃至図８において、１Ａ，１Ｂはフィルム状配線板、２Ａ，２Ｂはプリント配線板、３Ａ，３Ｂ，３Ｃはコネクタ、４は液晶表示パネル、５はバックライトユニット、６はフレーム部材、７はテープ・キャリア・パッケージ（TCP）である
【００５７】
本発明の電子装置は、前述のように、図１乃至図３に示したような構成の前記フィルム状配線板１、前記プリント配線板２、および前記コネクタ３を備えていれば、他の構成はどのような構成であってもよい。本発明が適用された電子装置としては、たとえば、ノートブック型のPCやPDA、ディジタル・スチル・カメラ、携帯電話端末、液晶表示装置などの種々の電子装置が挙げられる。本実施例では、その一適用例として、前記液晶表示装置に適用した場合の構成例について説明する。
【００５８】
前記液晶表示装置は、たとえば、図６に示すように、液晶表示パネル４と、バックライトユニット５と、前記液晶表示パネル４を挟むように設けられた一対の偏光板（図示しない）と、それらを一体的に保持するフレーム部材６とを備える。
【００５９】
また、前記液晶表示パネル４の外周部には、図６および図７に示すように、プリント配線板２Ａが設けられており、前記プリント配線板２Ａの配線（図示しない）と前記液晶表示パネル４の配線（図示しない）は、たとえば、液晶駆動用のドライバICが実装されたテープ・キャリア・パッケージ７によって電気的に接続されている。
【００６０】
なお、前記液晶表示パネル４、前記バックライトユニット５、前記偏光板、前記フレーム部材、前記テープ・キャリア・パッケージ７などの構成は、従来の液晶表示装置で用いられているものと同じ構成であればよいので、詳細な説明は省略する。
【００６１】
前記液晶表示装置において、前記液晶表示パネル４の周囲に設けられたプリント配線板２Ａには、たとえば、図７に示すように、前記液晶表示パネル４のドレイン配線に供給させる電気信号を送信するフィルム状配線板１Ａを接続するコネクタ３Ａや、前記液晶表示パネル４のゲート配線に供給させる電気信号を送信するフィルム状配線板１Ｂを接続するコネクタ３Ｂが設けられている。また、図７では図示を省略しているが、前記各フィルム状配線板１Ａ，１Ｂは、たとえば、前記バックライトユニット５の背面側に取り付けられた別のプリント配線板（タイミングコントローラー）に設けられたコネクタに接続されている。
【００６２】
またこのとき、前記プリント配線板２Ａは、たとえば、図８に示すように、前記テープ・キャリア・パッケージ７の可撓性を利用して、前記バックライトユニット５側に折り曲げられていることもある。この場合も、たとえば、図８に示すように、前記プリント配線板２Ａに設けられたコネクタ３Ａに接続されたフィルム状配線板１Ａの一端は、前記バックライトユニット５の背面に取り付けられたプリント配線板（タイミングコントローラー）２Ｂに設けられたコネクタ３Ｃに接続されている。
【００６３】
このような液晶表示装置を組み立てる場合、たとえば、前記プリント配線板２Ｂにかぶせるカバー（図示しない）を取り付ける作業や、前記プリント配線板２Ａや液晶表示パネル４、バックライトユニット５を前記フレーム部材６で一体的に指示する作業を行うときに、前記カバーやフレーム部材６が前記コネクタ３Ａ，３Ｂ，３Ｃのロック部材３０３と接触し、前記ロック部材３０３がロック状態からオープン状態になってしまうことがある。また、たとえば、前記液晶表示装置を組み上げて動作検査をするときには、前記コネクタ３Ａ，３Ｂ，３Ｃは、前記カバーやフレーム部材６で覆われた状態であるため、前記ロック部材３０３がロック状態であるか否かを確認することができない。そのため、たとえば、前記ロック部材３０３がオープン状態であることによる動作不良が起こったときには、前記組み上げた液晶表示装置を分解して、前記オープン状態になっているロック部材３０３をロック状態にした後、再度組み上げて動作検査をしなければならない。
【００６４】
そこで、本発明を適用し、たとえば、図７および図８に示すように、前記フィルム状配線板１Ａ，１Ｂに前記保護部材１０５を設けておけば、たとえば、前記プリント配線板２Ｂにかぶせるカバー（図示しない）を取り付ける作業や、前記プリント配線板２Ａや液晶表示パネル４、バックライトユニット５を前記フレーム部材６で一体的に支持固定する作業を行うときに、前記カバーやフレーム部材６が前記コネクタ３Ａ，３Ｂ，３Ｃのロック部材３０３と接触し、前記ロック部材３０３がロック状態からオープン状態になってしまうのを防げる。そのため、前記ロック部材３０３がオープン状態であることによる動作不良を低減し、分解、再度の組み上げ作業を行わなくてもよくなる。その結果、前記液晶表示装置の組み立て作業の作業性が向上する。
【００６５】
以上説明したように、本実施例の液晶表示装置によれば、前記プリント配線板２Ａ，２Ｂに設けられたコネクタ３Ａ，３Ｂ，３Ｃに前記フィルム状配線板１Ａ，１Ｂを接続し、前記ロック部材３０３をロック状態にした後、意図しない要因で前記ロック部材３０３がオープン状態になることを防げ、前記液晶表示装置の組み立て作業の作業性を向上させることができる。
【００６６】
また、前記フィルム状配線板１Ａ，１Ｂに前記保護部材１０５を設けることにより、前記フィルム状配線板１Ａ，１Ｂを前記コネクタ３に挿入するときに、前記保護部材１０５とその周囲の位置関係を見ることで、前記フィルム状配線板１Ａ，１Ｂが正しく挿入されているか確認できる。そのため、前記フィルム状配線板１Ａ，１Ｂの挿入不良による前記フィルム状配線板１の配線１０２と前記リード３０１の接続不良を低減できるとともに、作業性が向上する。
【００６７】
また、本実施例では、本発明が適用された電子装置の一例として液晶表示装置を例に挙げたが、前記液晶表示装置に限らず、図１乃至図３に示したような構成の前記フィルム状配線板１、前記プリント配線板２、および前記コネクタ３を備える表示装置であれば、どのような構成の表示装置であってもよい。
【００６８】
以上、本発明を、前記実施例に基づき具体的に説明したが、本発明は、前記実施例に限定されるものではなく、その要旨を逸脱しない範囲において、種々変更可能であることはもちろんである。
【００６９】
たとえば、前記実施例では、液晶表示装置を例に挙げたが、本発明は、図１乃至図３に示したような構成の前記フィルム状配線板１、前記プリント配線板２、および前記コネクタ３を備えている電子装置であれば、どのような電子装置にも適用できる。本発明が適用された電子装置としては、前記液晶表示装置の他に、たとえば、ノートブック型のPCやPDA、ディジタル・スチル・カメラ、携帯電話端末などの種々の電子装置が挙げられる。
【図面の簡単な説明】
【００７０】
【図１】本発明の電子装置の概要を説明するための模式図であり、電子装置のフィルム状配線板とプリント配線板の接続部の概略構成を示す平面図である。
【図２】本発明の電子装置の概要を説明するための模式図であり、図１のＡ−Ａ’線断面図である。
【図３】本発明の電子装置の概要を説明するための模式図であり、フィルム状配線板の取り付け方法を説明する断面図である。
【図４】本発明の電子装置の概要を説明するための模式図であり、他の効果の一例を説明する平面図である。
【図５】本発明の電子装置の変形例を説明するための模式断面図である。
【図６】本発明による一実施例の液晶表示装置の概略構成を示す模式図であり、液晶表示装置の構成例を示す分解斜視図である。
【図７】本発明による一実施例の液晶表示装置の概略構成を示す模式図であり、本発明の適用例を説明する平面図である。
【図８】本発明による一実施例の液晶表示装置の概略構成を示す模式図であり、本発明の適用例を説明する側面図である。
【図９】従来の開閉ロック式のコネクタを用いたフィルム状配線板の取り付け方法を説明する模式断面図である。
【符号の説明】
【００７１】
１，１Ａ，１Ｂ…フィルム状配線板
１０１…絶縁基板
１０２…第１の配線
１０３…配線保護膜
１０４…補強部材
１０５…保護部材
１０５ｂ…補強部
２，２Ａ，２Ｂ…プリント配線板
２０１…絶縁基板
２０２…第２の配線
３，３Ａ，３Ｂ，３Ｃ…コネクタ
３０１…リード
３０２…支持部材
３０３…ロック部材
３０３ａ…固定部
４…液晶表示パネル
５…バックライトユニット
６…フレーム部材
７…テープ・キャリア・パッケージ
【図１】
2007012337.tif 000003
【図２】
2007012337.tif 000004
【図３】
2007012337.tif 000005
【図４】
2007012337.tif 000006
【図５】
2007012337.tif 000007
【図６】
2007012337.tif 000008
【図７】
2007012337.tif 000009
【図８】
2007012337.tif 000010
【図９】
2007012337.tif 000011